(57)【特許請求の範囲】
【請求項１】
使用者がぶら提げて持運ぶことができる、長柄部材を備えた掃除具であって、
前記使用者により把持される、前記長柄部材の上端部へ取付けられたハンドル部材と、
ごみが掃入れられる、前記長柄部材の下端部へ回動可能に取付けられたごみ収容部材と、
前記長柄部材へスライド可能に取付けられた押し棒部材と、
前記押し棒部材をリリース可能に係止する、前記ハンドル部材の近傍へ取付けられた操作部材と、
を備え、
前記ごみ収容部材の底部は、開閉可能であり、
前記操作部材が前記使用者の操作に基づいて前記押し棒部材をリリースし、前記リリースされた押し棒部材の最下端部が前記底部へ当接することにより、前記底部が開けられることを特徴とする掃除具。
【請求項２】
前記長柄部材の本体部は、パイプ部であり、
前記押し棒部材は、前記パイプ部のパイプ長手方向においてスライド可能であるように前記パイプ部のパイプ中空へ挿入されていることを特徴とする請求項１に記載の掃除具。
【請求項３】
前記長柄部材の前記下端部は、前記パイプ部の下方に接続されている逆Ｕ字形状部であり、
前記ごみ収容部材は、前記逆Ｕ字形状部の両方の逆Ｕ字下端へ回動可能に取付けられている箱部材であり、
回動される前記箱部材の入り口部は、ぶら提げ状態においては上を向き、ごみ掃入れ状態においては横を向き、
係止状態における前記押し棒部材の前記最下端部は、前記箱部材が回動されても前記箱部材と干渉しないことを特徴とする請求項２に記載の掃除具。
【請求項４】
前記パイプ部のパイプ下端は、外部へ開口するように前記逆Ｕ字形状部の逆Ｕ字天井へ露出しており、
前記係止状態における前記押し棒部材の前記最下端部は、前記パイプ部の前記パイプ下端から突出していることを特徴とする請求項３に記載の掃除具。
【請求項５】
前記長柄部材の本体部は、ロッド部であり、
前記押し棒部材は、前記ロッド部のロッド長手方向においてスライド可能であるように前記ロッド部のロッド外周へ取付けられていることを特徴とする請求項１に記載の掃除具。
【請求項６】
前記底部には、外側へ突出しているタブが設けられており、
前記操作部材が前記使用者の前記操作に基づいて前記押し棒部材をリリースし、前記リリースされた押し棒部材の前記最下端部が前記タブへ当接することにより、前記底部が開けられることを特徴とする請求項５に記載の掃除具。
【発明の詳細な説明】
【技術分野】
【０００１】
本発明は、塵取りなどのような掃除具に関する。
【背景技術】
【０００２】
使用者がぶら提げて持運ぶことができる、長柄部材を備えた掃除具であって、使用者により把持される、長柄部材の上端部へ取付けられたハンドル部材と、ごみが掃入れられる、長柄部材の下端部へ回動可能に取付けられたごみ収容部材と、を有する掃除具が、知られている（たとえば、特許文献１参照）。
【先行技術文献】
【特許文献】
【０００３】
【特許文献１】特開２０１０−２５３２２５号公報
【発明の概要】
【発明が解決しようとする課題】
【０００４】
しかしながら、本発明者は、上述された従来の塵取りなどのような掃除具については使い勝手が必ずしも良好ではないことに気付いた。
【０００５】
より具体的には、本発明者は、従来の塵取りなどのような掃除具については箒などでごみ収容部材へ掃入れられたごみを容易に排出することができないことに気付いた。
【０００６】
本発明は、上述された従来の課題を考慮し、箒などでごみ収容部材へ掃入れられたごみを容易に排出することができる掃除具を提供することを目的とする。
【課題を解決するための手段】
【０００７】
第１の本発明は、使用者がぶら提げて持運ぶことができる、長柄部材を備えた掃除具であって、
前記使用者により把持される、前記長柄部材の上端部へ取付けられたハンドル部材と、
ごみが掃入れられる、前記長柄部材の下端部へ回動可能に取付けられたごみ収容部材と、
前記長柄部材へスライド可能に取付けられた押し棒部材と、
前記押し棒部材をリリース可能に係止する、前記ハンドル部材の近傍へ取付けられた操作部材と、
を備え、
前記ごみ収容部材の底部は、開閉可能であり、
前記操作部材が前記使用者の操作に基づいて前記押し棒部材をリリースし、前記リリースされた押し棒部材の最下端部が前記底部へ当接することにより、前記底部が開けられることを特徴とする掃除具である。
【０００８】
第２の本発明は、前記長柄部材の本体部は、パイプ部であり、
前記押し棒部材は、前記パイプ部のパイプ長手方向においてスライド可能であるように前記パイプ部のパイプ中空へ挿入されていることを特徴とする第１の本発明の掃除具である。
【０００９】
第３の本発明は、前記長柄部材の前記下端部は、前記パイプ部の下方に接続されている逆Ｕ字形状部であり、
前記ごみ収容部材は、前記逆Ｕ字形状部の両方の逆Ｕ字下端へ回動可能に取付けられている箱部材であり、
回動される前記箱部材の入り口部は、ぶら提げ状態においては上を向き、ごみ掃入れ状態においては横を向き、
係止状態における前記押し棒部材の前記最下端部は、前記箱部材が回動されても前記箱部材と干渉しないことを特徴とする第２の本発明の掃除具である。
【００１０】
第４の本発明は、前記パイプ部のパイプ下端は、外部へ開口するように前記逆Ｕ字形状部の逆Ｕ字天井へ露出しており、
前記係止状態における前記押し棒部材の前記最下端部は、前記パイプ部の前記パイプ下端から突出していることを特徴とする第３の本発明の掃除具である。
第５の本発明は、前記長柄部材の本体部は、ロッド部であり、
前記押し棒部材は、前記ロッド部のロッド長手方向においてスライド可能であるように前記ロッド部のロッド外周へ取付けられていることを特徴とする第１の本発明の掃除具である。
第６の本発明は、前記底部には、外側へ突出しているタブが設けられており、
前記操作部材が前記使用者の前記操作に基づいて前記押し棒部材をリリースし、前記リリースされた押し棒部材の前記最下端部が前記タブへ当接することにより、前記底部が開けられることを特徴とする第５の本発明の掃除具である。
【発明の効果】
【００１１】
本発明により、箒などでごみ収容部材へ掃入れられたごみを容易に排出することが可能な掃除具を提供することができる。
【図面の簡単な説明】
【００１２】
【図１】本発明における実施の形態の掃除具の模式的な斜視図（その一）
【図２】本発明における実施の形態の掃除具の模式的な斜視図（その二）
【図３】本発明における実施の形態の掃除具の模式的な斜視図（その三）
【図４】（ａ）本発明における実施の形態の掃除具の長柄部材近傍の模式的な部分断面図（その一）、（ｂ）本発明における実施の形態の掃除具の長柄部材近傍の模式的な部分断面図（その二）
【図５】本発明における実施の形態の掃除具のごみ収容部材近傍の模式的な部分断面図
【図６】本発明における第一の変形例の実施の形態の掃除具の模式的な斜視図
【図７】本発明における第二の変形例の実施の形態の掃除具の模式的な斜視図
【図８】本発明における第二の変形例の実施の形態の掃除具の模式的な左側面図
【発明を実施するための形態】
【００１３】
図面を参照しながら、本発明における実施の形態について詳細に説明する。
【００１４】
以下同様であるが、いくつかの構成要素は図面において示されていないこともあるし透視的にまたは省略的に示されていることもある。
【００１５】
本実施の形態の掃除具は、塵取りなどのような掃除具である。
【００１６】
はじめに、図１から３を参照しながら、本実施の形態の掃除具について具体的に説明する。
【００１７】
ここに、図１から３は、本発明における実施の形態の掃除具の模式的な斜視図（その一から三）である。
【００１８】
本実施の形態の掃除具は、使用者がぶら提げて持運ぶことができる、長柄部材１００を有する掃除具である。
【００１９】
ハンドル部材２００は、使用者により把持される、長柄部材１００の上端部１１０へ取付けられた部材である。
【００２０】
ごみ収容部材３００は、ごみが掃入れられる、長柄部材１００の下端部１２０へ回動可能に取付けられた部材である。
【００２１】
ごみ収容部材３００の蓋部３３０は、開閉可能である。
【００２２】
蓋部３３０は、下端部１２０の両方の逆Ｕ字アーム１２３へ回動可能に取付けられている。
【００２３】
回動されるごみ収容部材３００の蓋部３３０は、ぶら提げ状態においては、ごみ収容部材３００へ掃入れられたごみが外部から見えないように、入り口部３２０を閉鎖し、ごみ掃入れ状態においては入り口部３２０を開放する。
【００２４】
つぎに、図４（ａ）および４（ｂ）を主として参照しながら、本実施の形態の掃除具についてより具体的に説明する。
【００２５】
ここに、図４（ａ）および４（ｂ）は、本発明における実施の形態の掃除具の長柄部材１００近傍の模式的な部分断面図（その一および二）である。
【００２６】
図４（ａ）においては係止状態における押し棒部材４００の最上端部４１０近傍が示されており、図４（ｂ）においては非係止状態における押し棒部材４００の最上端部４１０近傍が示されている。
【００２７】
本実施の形態の掃除具の形状は左右方向に関してほぼ対称であり、これらの部分断面図は掃除具左右対称面についての部分断面図である。
【００２８】
押し棒部材４００は、長柄部材１００へスライド可能に取付けられた部材である。
【００２９】
操作部材５００は、押し棒部材４００をリリース可能に係止する、ハンドル部材２００の近傍へ取付けられた部材である。
【００３０】
後述されるように、操作部材５００が使用者の操作に基づいて押し棒部材４００をリリースすると、リリースされた押し棒部材４００は押し棒可動領域を与えるパイプ中空１３１を通って自重で落下することによりスライドする。
【００３１】
つぎに、図４（ａ）および４（ｂ）、ならびに５を主として参照しながら、本実施の形態の掃除具についてさらにより具体的に説明する。
【００３２】
ここに、図５は、本発明における実施の形態の掃除具のごみ収容部材３００近傍の模式的な部分断面図である。
【００３３】
図５においては、閉じ状態における底部３１０が実線で示されており、開き状態における底部３１０が、底部３１０を開けている押し棒部材４００の最下端部４２０とともに、一点鎖線で示されている。
【００３４】
この部分断面図も、上述された掃除具左右対称面についての部分断面図である。
【００３５】
ごみ収容部材３００の底部３１０は、開閉可能である。
【００３６】
図５に示されているように、底部３１０の開閉可能構成は、ごみ収容部材３００の箱部３４０へ底部３１０を取付けるヒンジ３１１を利用して実現される。
【００３７】
底部３１０の閉じ状態の維持は、底部３１０へ貼付されたスチールプレート３１２を吸着する、箱部３４０へ埋込まれたマグネット３４１を利用して実現されるが、滑りローラーと協働しながら底部３１０の端縁溝へ箱部３４０の突出口縁を脱着可能に嵌込ませる、プラスチック製の蓋付き食品保存容器の密閉構成に類似した構成を利用して実現されてもよい。
【００３８】
ヒンジ３１１は、底部３１０の閉じ状態を維持するための付勢トルクスプリングと組合されてもよい。
【００３９】
操作部材５００が使用者の操作に基づいて押し棒部材４００をリリースし、リリースされた押し棒部材４００の最下端部４２０が底部３１０へ当接することにより、底部３１０が矢印Ａで示された向きに開けられる。
【００４０】
このように、底部３１０は簡単な操作で開けられるので、箒などでごみ収容部材３００へ掃入れられたごみを開けられた底部３１０から容易に排出することができる。
【００４１】
下端部１２０が上端部１１０より高くなるように長柄部材１００を傾けることにより、使用者の操作に基づいてリリースされた押し棒部材４００を操作部材５００により再び係止されるように自重でスライドさせることができる。
【００４２】
なお、図６に示されているように、押し棒部材４００の係止状態の回復は、長柄部材１００のスライダー溝１０１から露出するように設けられた押し棒部材４００のスライダーつまみ４０１による押し棒戻し引上げを利用して実現されてもよい。
【００４３】
ここに、図６は、本発明における第一の変形例の実施の形態の掃除具の模式的な斜視図である。
【００４４】
長柄部材１００の本体部１３０は、パイプ部である。
【００４５】
押し棒部材４００は、両矢印Ｂで示された本体部１３０のパイプ長手方向においてスライド可能であるように本体部１３０のパイプ中空１３１へ挿入されている。
【００４６】
図４（ａ）に示されているように、操作部材５００の操作ボタン部５１０が使用者の操作で押さえられなければ、本体部１３０のパイプ内壁側へ取付けられた圧縮スプリング部５２０の復元力により、最上端部４１０に設けられた突起４１１は操作ボタン部５１０に設けられた凹み５１１へ嵌込んでいるので、押し棒部材４００は落下しないように係止されている。
【００４７】
図４（ｂ）に示されているように、操作ボタン部５１０が圧縮スプリング部５２０の復元力に抗して矢印Ｘで示された向きに押さえられると、突起４１１は凹み５１１から外れるので、押し棒部材４００は矢印Ｙで示された向きに落下する。押し棒部材４００の突起４１１は本体部１３０のパイプ内壁側に設けられた内壁フランジ１３３により係止されるので、落下した押し棒部材４００は長柄部材１００から抜落ちない。このように、突起４１１は、係止部材として機能するのみならず抜止め部材としても機能する多機能ストッパーである。
【００４８】
上述された押し棒部材４００の係止状態の回復時においては、突起４１１が凹み５１１へ嵌込むまで操作ボタン部５１０は使用者の操作で押さえられるが、突起４１１が圧縮スプリング部５２０の復元力に抗して凹み５１１へ自然に嵌込んでいくように、突起４１１および凹み５１１の面取り形状加工が利用されてもよい。
【００４９】
長柄部材１００の下端部１２０は、本体部１３０の下方に接続されている逆Ｕ字形状部である。
【００５０】
ごみ収容部材３００は、下端部１２０の両方の逆Ｕ字下端１２１へ回動可能に取付けられている箱部材である。
【００５１】
回動されるごみ収容部材３００の入り口部３２０は、ぶら提げ状態においては上を向き、ごみ掃入れ状態においては横を向く。
【００５２】
係止状態における押し棒部材４００の最下端部４２０は、ごみ収容部材３００が回動されてもごみ収容部材３００と干渉しない。
【００５３】
ごみ収容部材３００が回動されても、押し棒部材４００の最下端部４２０がごみ収容部材３００と干渉しないように、押し棒部材４００の動き範囲より大きい長孔または切欠きのような押し棒貫通口３３１が蓋部３３０に設けられている。
【００５４】
本体部１３０のパイプ下端１３２は、外部へ開口するように下端部１２０の逆Ｕ字天井１２２へ露出している。
【００５５】
係止状態における押し棒部材４００の最下端部４２０は、本体部１３０のパイプ下端１３２から突出している。
【００５６】
もちろん、係止状態における押し棒部材４００の最下端部４２０は本体部１３０のパイプ下端１３２から突出している必要はなく、操作部材５００が、ぶら提げ状態において係止されている、押し棒部材４００をリリースし、リリースされた押し棒部材４００の最下端部４２０がごみ収容部材３００へ侵入して底部３１０へ当接することにより、底部３１０が開けられる構成が採用されてもよい。
【００５７】
押し棒貫通口３３１のサイズは、係止状態における押し棒部材４００の最下端部４２０が本体部１３０のパイプ下端１３２から突出している構成においては、ごみ収容部材３００とのごみ収容部材回動時における干渉が発生しない十分に大きいサイズであることが望ましく、係止状態における押し棒部材４００の最下端部４２０が本体部１３０のパイプ下端１３２から突出していない構成においては、リリースされた押し棒部材４００の最下端部４２０がごみ収容部材３００へちょうど侵入することができる比較的に小さいサイズであってもよい。
【００５８】
係止状態における押し棒部材４００の最下端部４２０と閉じ状態における底部３１０との間の距離であるストローク距離は、係止状態における押し棒部材４００の最下端部４２０が本体部１３０のパイプ下端１３２から突出している構成においては小さ目であり、係止状態における押し棒部材４００の最下端部４２０が本体部１３０のパイプ下端１３２から突出していない構成においては大き目である。
また、図７および８に示されているように、押し棒部材４００のスライド可能構成は、バンドまたは螺子による締結、または金属溶接などで本体部１３０のロッド外周１３４へ取付けられたパイプまたはリングのような押し棒ガイド部１４０への押し棒挿入を利用して実現されてもよい。
ここに、図７は本発明における第二の変形例の実施の形態の掃除具の模式的な斜視図であり、図８は本発明における第二の変形例の実施の形態の掃除具の模式的な左側面図である。
長柄部材１００の本体部１３０は、ロッド部である。
押し棒部材４００は、本体部１３０のロッド長手方向においてスライド可能であるように本体部１３０のロッド外周１３４へ取付けられている。
操作部材５００の操作ピン部５３０が使用者の操作で引出されなければ、最上端部４１０に挿通された操作ピン部５３０の内側端は本体部１３０に設けられた穴１３５へ嵌込んでいるので、押し棒部材４００は落下しないように係止されている。
操作ピン部５３０が矢印Ｚで示された向きに引出されると、操作ピン部５３０は穴１３５から外れるので、押し棒部材４００は矢印Ｙで示された向きに落下する。操作ピン部５３０は押し棒ガイド部１４０により係止されるので、落下した押し棒部材４００は長柄部材１００から抜落ちない。このように、操作ピン部５３０は、係止部材として機能するのみならず抜止め部材としても機能する多機能ストッパーである。
穴１３５の穿孔による本体部１３０の強度の低下が懸念される場合などには、押し棒部材４００がハンドル部材２００により係止される構成が採用されてもよい。たとえば、最上端部４１０がハンドル部材２００の二股に分かれて突出している部分へ挟込まれることにより、押し棒部材４００がハンドル部材２００により係止される構成が実現される。
ごみ収容部材３００が上面視において張出しておらず、絶壁のような箱側面が形成されている側で、押し棒部材４００はロッド外周１３４へ取付けられているので、押し棒部材４００がスライドしても、押し棒部材４００の最下端部４２０がタブ３１３へ当接するまで、押し棒部材４００はごみ収容部材３００と干渉しない。押し棒部材４００がスライドしても、押し棒部材４００がごみ収容部材３００と干渉しにくいように、長孔もしくは切欠き、または凹みのようなスペーシングが箱部３４０の縦長センター部分３４２に設けられていてもよい。
底部３１０には、外側へ突出しているタブ３１３が設けられている。
操作部材５００が使用者の操作に基づいて押し棒部材４００をリリースし、リリースされた押し棒部材４００の最下端部４２０がタブ３１３へ当接することにより、底部３１０が開けられる。
タブ３１３は、底部３１０との一体成型を利用して設けられていてもよいし、底部３１０への別部材取付けを利用して設けられていてもよい。
もちろん、タブ３１３が設けられている必要はなく、操作部材５００が、ぶら提げ状態において係止されている、押し棒部材４００をリリースし、リリースされた押し棒部材４００の最下端部４２０がごみ収容部材３００へ侵入して底部３１０へ当接することにより、底部３１０が開けられる構成が採用されてもよい。たとえば、長孔もしくは切欠き、または凹みのようなスペーシングが縦長センター部分３４２の所定箇所に設けられていることにより、押し棒部材４００の最下端部４２０がごみ収容部材３００へ侵入する構成が実現される。
【産業上の利用可能性】
【００５９】
本発明における掃除具は、箒などでごみ収容部材へ掃入れられたごみを容易に排出することができ、塵取りなどのような掃除具に利用する目的に有用である。
【符号の説明】
【００６０】
１００  長柄部材
１０１  スライダー溝
１１０  上端部
１２０  下端部
１２１  逆Ｕ字下端
１２２  逆Ｕ字天井
１２３  逆Ｕ字アーム
１３０  本体部
１３１  パイプ中空
１３２  パイプ下端
１３３  内壁フランジ
１３４  ロッド外周
１３５  穴
１４０  押し棒ガイド部
２００  ハンドル部材
３００  ごみ収容部材
３１０  底部
３１１  ヒンジ
３１２  スチールプレート
３１３  タブ
３２０  入り口部
３３０  蓋部
３３１  押し棒貫通口
３４０  箱部
３４１  マグネット
３４２  縦長センター部分
４００  押し棒部材
４０１  スライダーつまみ
４１０  最上端部
４１１  突起
４２０  最下端部
５００  操作部材
５１０  操作ボタン部
５１１  凹み
５２０  圧縮スプリング部
５３０  操作ピン部
Ａ  矢印
Ｂ  両矢印
Ｘ  矢印
Ｙ  矢印
Ｚ  矢印
【図１】
0006942219.tif 000002
【図２】
0006942219.tif 000003
【図３】
0006942219.tif 000004
【図４】
0006942219.tif 000005
【図５】
0006942219.tif 000006
【図６】
0006942219.tif 000007
【図７】
0006942219.tif 000008
【図８】
0006942219.tif 000009